(57)【特許請求の範囲】
【請求項１】
被検体の関心部位の生体活動電流源から生じる微小磁界を、複数個の磁気センサで個別に計測して得た生体磁気データに基づき、計測時刻と磁界強度との関係を波形として表示するとともに、任意の時刻での各磁気センサにおける磁界強度の分布を表示する生体磁気データ表示装置において、（ａ）前記生体磁気データに基づいて、計測時刻毎に各磁気センサで捉える磁界強度分布を作成する磁界強度分布作成手段と、（ｂ）前記磁界強度分布上に任意の直線を設定し、この直線上の磁界強度分布のデータを収集することを、全計測時刻について行う分布データ収集手段と、（ｃ）前記分布データ収集手段によって収集された前記磁界強度分布のデータを、時系列に並べて、時刻等磁場図を作成する時刻等磁場図作成手段と、（ｄ）前記時刻等磁場図と、前記生体磁気データに基づく波形と、前記磁界強度分布とを出力する画像出力手段とを備えたことを特徴とする生体磁気データ表示装置。
【請求項２】
請求項１に記載の生体磁気データ表示装置において、（ｅ）任意の計測時刻における前記磁界強度分布と、前記磁界強度分布上に設定された前記任意の直線との関係を、前記磁界強度分布を表す領域上に前記直線の向き表す記号を重ねることで模擬的に表現する分布直線模擬図を作成するとともに、この分布直線模擬図を前記時刻等磁場図に併せて出力する模擬図出力手段を備えることを特徴とする生体磁気データ表示装置。
【請求項３】
請求項１または請求項２に記載の生体磁気データ表示装置において、前記分布データ集手段は、前記磁界強度分布上の最大磁界強度を示す点と、最小磁界強度を示す点とを通る直線を設定し、この直線上の磁界強度分布のデータを収集することを全計測時刻について行うことを特徴とする生体磁気データ表示装置。
【請求項４】
請求項１または請求項２に記載の生体磁気データ表示装置において、前記分布データ収集手段は、前記磁界強度分布上の最大磁界強度を示す点のみを通る任意の直線を設定し、この直線上の磁界強度分布のデータを収集することを、全計測時刻について行うことを特徴とする生体磁気データ表示装置。
【発明の詳細な説明】
【０００１】
【発明の属する技術分野】
この発明は、生体活動電流源から得た生体磁気データに基づいて、波形または磁界強度分布などを表示する生体磁気データ表示装置に係り、特に、生体活動電流源の状態を容易に効率よく把握することができる生体磁気データ表示装置に関する。
【０００２】
【従来の技術】
生体内に生じる生体活動電流に伴って微小な磁気が、生体から発生する。例えば、脳から発生する生体磁気は脳磁と呼ばれ、生体に刺激を与えることにより発生する誘発脳磁や、α波やてんかんのスパイク波のように脳から自然に発生する自発脳磁などがある。
【０００３】
近年、生体からの微小な磁気を計測する磁束計として、ＳＱＵＩＤ（Superconduc-ting Quantum Interference Device：超電導量子干渉計）を用いたマルチチャンネルＳＱＵＩＤセンサが開発されている。このマルチチャンネルＳＱＵＩＤセンサは、デュアーと呼ばれる容器内に多数個の磁気センサを液体窒素などの冷媒に浸漬して収納している。この磁気センサは、磁気を計測するピックアップコイル部と検出した磁気を電圧に変換するＳＱＵＩＤセンサ部とから構成されている。
【０００４】
このマルチチャンネルＳＱＵＩＤセンサを被検体の関心部位である例えば頭部の外側に置き、脳内に生じた生体活動電流源から発生する微小磁気をマルチチャンネルＳＱＵＩＤセンサに収納された複数個の磁気センサで無侵襲に計測することができる。この磁気センサごとの生体磁気データをカラーモニタなどに波形や磁界強度分布を表示することで、被検体の関心部位内の生体活動電流源の状態を把握することができる。
【０００５】
従来、マルチチャンネルＳＱＵＩＤセンサを用いて生体磁気を計測し、生体活動電流源の状態を把握する場合を説明する。まず、マルチチャンネルＳＱＵＩＤセンサの磁気センサ数は百数十個ある。各磁気センサでは、直交３軸方向の成分であるＸ、Ｙ、Ｚ成分を検出するので、生体磁気データの数は、５００前後になる。また、１つの生体磁気データ内には、計測時間内のサンプリングに応じた個数のデータを持っている。このデータは通常５００〜１０００個に及ぶので、全体として膨大な量のデータとなる。これらのデータを個々に観察していたのでは、膨大な時間と労力を必要となる。
【０００６】
そこで、これらの生体磁気データを波形や磁界強度分布としてカラーモニタなどに表示させる。従来の生体磁気データ表示装置の表示画面を図１１に示す。図１１に示すように表示画面２０は、大きく分けて３つの分割画面で構成されている。
第１の分割画面である全波形画面２１には、マルチチャンネルＳＱＵＩＤセンサ内の各磁気センサが配置された面に対応する円形領域２１ａに、前記各磁気センサの位置に対応する位置２１ｂが決められている。この円形領域２１ａ内の位置２１ｂには、対応する磁気センサで計測された生体磁気データに基づいた波形が表示されている。この波形表示は、計測時刻における磁界強度の変化を示す。また、この従来例の場合、３つの波形が位置２１ｂに表示されている。これは、磁気センサで検出される生体磁気データの直交３軸方向の成分であるＸ、Ｙ、Ｚ成分ごとの波形である。このＺ成分は、被検体の関心部位である頭部表面の法線方向を示す。また、Ｘ、Ｙ成分は、頭部表面の接線方向を示し、Ｚ成分にそれぞれ直交する。
【０００７】
第２の分割画面である個別波形拡大画面２２には、全波形画面２１に表示される波形が個別に拡大表示されている。また、個別波形拡大画面２２の時間軸に垂直に設けられた直線Ｔは、図示しないマウスを使って左右に移動させることで任意の時刻に設定することができ、この任意の時刻における波形の磁界強度を選択することができる。
【０００８】
第３の分割画面である磁界強度分布画面２３は、小円形領域２３ａ、２３ｂ、２３ｃから構成されている。この小円形領域２３ａ〜２３ｃは、先の直線Ｔで指定された時刻における各生体磁気データのＸ、Ｙ、Ｚ成分の磁界強度を分布として表している。また、符号２４は各磁気センサの位置を示す指標点であり、上述した全波形画面２１の位置２１ｂと対応している。
【０００９】
これら個別波形拡大画面２２と全波形画面２１とに表示さている複数個の波形から特徴的な波形を探し、この特徴的な波形の磁界磁界強度がピーク値を示す計測時刻における磁界強度分布を、磁界強度分布画面２３で観察することで、被検体の関心部位の生体活動電流源の最も特徴のある状態を把握する。
【００１０】
【発明が解決しようとする課題】
しかしながら、このような構成を有する従来例の場合には、次のような問題がある。
単純な形状の波形であれば、全波形画面２１と個別波形拡大画面２２とに表示されている複数個の波形の中から特徴的な波形を容易に探すことができる。しかし、複雑な形状の波形の場合、波形を観察するだけでは、どれが特徴的な波形であるかを判断できないので、多数個の波形について磁界強度分布をそれぞれ観察することとなり、効率が悪いという問題がある。また、特徴的であると思われる波形に基づく磁界強度分布から生体活動電流源の状態を把握したとしても、この状態が最も特徴のある状態でない場合があり、生体活動電流源の最も特徴のある状態を正確に把握できないという問題がある。
【００１１】
この発明は、このような事情に鑑みてなされたものであって、生体活動電流源の状態を正確、かつ、効率良く把握することができる生体磁気データ表示装置を提供することを目的とする。
【００１２】
【課題を解決するための手段】
この発明は、このような目的を達成するために、次のような構成をとる。
すなわち、請求項１に記載の発明は、被検体の関心部位の生体活動電流源から生じる微小磁界を、複数個の磁気センサで個別に計測して得た生体磁気データに基づき、計測時刻と磁界強度との関係を波形として表示するとともに、任意の時刻での各磁気センサにおける磁界強度の分布を表示する生体磁気データ表示装置において、（ａ）前記生体磁気データに基づいて、計測時刻毎に各磁気センサで捉える磁界強度分布を作成する磁界強度分布作成手段と、（ｂ）前記磁界強度分布上に任意の直線を設定し、この直線上の磁界強度分布のデータを収集することを、全計測時刻について行う分布データ収集手段と、（ｃ）前記分布データ収集手段によって収集された前記磁界強度分布のデータを、時系列に並べて、時刻等磁場図を作成する時刻等磁場図作成手段と、（ｄ）前記時刻等磁場図と、前記生体磁気データに基づく波形と、前記磁界強度分布とを出力する画像出力手段とを備えたことを特徴とするものである。
【００１３】
また、請求項２に記載の発明は、請求項１に記載の生体磁気データ表示装置において、（ｅ）任意の計測時刻における前記磁界強度分布と、前記磁界強度分布上に設定された前記任意の直線との関係を、前記磁界強度分布を表す領域上に前記直線の向きを表す記号を重ねることで模擬的に表現する分布直線模擬図を作成するとともに、この分布直線模擬図を前記時刻等磁場図に併せて出力する模擬図出力手段を備えることを特徴とするものである。
【００１４】
また、請求項３に記載の発明は、請求項１または請求項２に記載の生体磁気データ表示装置において、前記分布データ集手段は、前記磁界強度分布上の最大磁界強度を示す点と、最小磁界強度を示す点とを通る直線を設定し、この直線上の磁界強度分布のデータを収集することを全計測時刻について行うことを特徴とするものである。
【００１５】
また、請求項４に記載の発明は、請求項１または請求項２に記載の生体磁気データ表示装置において、前記分布データ収集手段は、前記磁界強度分布上の最大磁界強度を示す点のみを通る任意の直線を設定し、この直線上の磁界強度分布のデータを収集することを、全計測時刻について行うことを特徴とするものである。
【００１６】
〔作用〕
請求項１に記載の発明の作用は次のとおりである。
複数個の磁気センサでそれぞれ計測される生体磁気データに基づいて、計測時刻毎の前記複数個の磁気センサでの磁界強度を求める。前記複数個の磁気センサは磁束計の磁気センサ配置面に規則的に配置されているので、計測時刻毎の各磁気センサでの磁界強度は、磁束計で捉える磁界強度の分布で表すことができる。この磁界強度分布内に任意の直線を設定する。この直線上の磁界強度分布のデータを収集する。この収集は、全計測時刻すなわち全磁界強度分布について行う。この収集された磁界強度分布のデータを時系列に配置することで、横軸を時間、縦軸を任意の直線上の磁界強度分布のデータとする時刻等磁場図を作成し、時刻等磁場図として出力することができる。この出力された時刻等磁場図を観察することで効率良く顕著な変化のある場所と時刻とを特定することができる。
【００１７】
また、請求項２に記載の発明の作用は次のとおりである。
任意の時刻における前記磁界強度分布と、前記設定された直線との位置関係に対応するように、前記磁界強度分布の外形を示す領域上に直線の向きを表す記号を重ねて分布直線模擬図をして表示する。この分布直線模擬図を前記時刻等磁場図の時間軸に対応する位置に併せて表示することで、各時刻での磁界強度分布上の直線の位置と向きを容易に把握することができる。
【００１８】
また、請求項３に記載の発明の作用は次のとおりである。
前記磁界強度分布上の最大磁界強度を示す点と最小磁界強度を示す点とを通る直線を設定する。この直線上の磁界強度分布のデータを収集する。この収集は、全計測時刻について行う。この収集された磁界強度分布のデータを時系列に配置し、時刻等磁場図として表示することで、顕著な変化のある時刻と場所を特定するとができる。
【００１９】
また、請求項４に記載の発明の作用は次のとおりである。
前記磁界強度分布上の最大磁界強度を示す点のみを通る直線を設定する。この直線上の磁界強度分布のデータを収集する。この収集は、全計測時刻について行う。この収集された磁界強度分布のデータを時系列に配置し、時刻等磁場図として表示することで、生体活動電流源が最も大きくなる場所と時間とを特定するとができる。
【００２０】
【発明の実施の形態】
以下、図１〜図９を参照して実施例に係る生体磁気データ表示装置の概略構成および処理手順を説明する。本実施例では、被検体の関心部位を例えば頭部として、この頭部内に生体活動電流源が発生するものとする。図中、符号１はマルチチャンネルＳＱＵＩＤセンサを示す。このマルチチャンネルＳＱＵＩＤセンサ１は、被検体Ｍの頭部の外側に配備されている。マルチチャンネルＳＱＵＩＤセンサ１は、デュアー１ａ内に多数の磁気センサＳ1 〜Ｓm が冷媒に侵漬して収納されて構成されている。これらマルチチャンネルＳＱＵＩＤセンサ１や被検体Ｍは、磁気シールドルーム１１内に配設される。
【００２１】
デュアー１ａ内の磁気センサＳ1 〜Ｓm は、磁気を計測するピックアップコイル部と検出した磁気を電圧に変換するＳＱＵＩＤセンサ部とから構成されている。この磁気センサＳ1 〜Ｓm は、直交３軸方向の成分であるＸ、Ｙ、Ｚ方向の成分に分けて検出することができるピックアップコイル部で構成される。
【００２２】
このピックアップコイル部は例えば、図３（ａ）、（ｂ）に示す構成となる。図３（ａ）は、フイルムＦ上にそれぞれ電気的に絶縁分離して形成された３つのコイル対３１、３２、３３を備える。例えば、コイル対３１は、三角角関数で表される２つの導電パターン３１ａ、３１ｂの両端を直線の導電パターンＡ、Ｂで接続したもので、導電パターン３１ｂに接続端子３１ｃが形成されている。他のコイル対３２、３３も同様に導電パターン３２ａ、３２ｂ、３３ａ、３３ｂで構成されている。各コイル対３１、３２、３３の導電パターンはそれぞれ横方向に（２／３）πａだけシフトして配置されている。ここで、符号ａは後述するコイルボビンの半径である。
【００２３】
３つのコイル対３１、３２、３３が形成されたフイルムＦを、直線の導電パターンＡ、Ｂが近接するように、コイルボビンに巻き付け固定する。その状態を図３（ｂ）に示す。これにより、コイル対３１の導電パターン３１ａは検出コイルを、導電パターン３１ｂは補償コイルをそれぞれ形成し、各コイルは差動結合された状態になる。各コイル対３１、３２、３３の端子３１ｃ、３２ｃ、３３ｃは図示しないＳＱＵＩＤセンサ部に接続される。
【００２４】
以下、図２のフローチャートを参照して詳細に説明する。
ステップＳ１（生体磁気を計測）
まず、被検体Ｍに、刺激装置３から電気的刺激（あるいは音、光刺激など）が与えらる。この刺激により、被検体Ｍの脳内に発生した生体活動電流源から微小な生体磁気が発生する。この生体磁気をマルチチャネルＳＱＵＩＤセンサ１内の磁気センサＳ1 〜Ｓm で個別に計測する。ここで生体磁気の発生している時間をｔn 時間として、このｔn 時間計測するものとする。この計測によって得られた生体磁気データは、データ変換部４によってデジタルデータに変換された後、データ収集部５に集められる。ここで、この生体磁気データは、上述した構成の磁気センサＳ1 〜Ｓm によって計測されるので、磁気センサごとに直交３軸の成分であるＸ、Ｙ、Ｚ成分の生体磁気が計測される。
【００２５】
ステップＳ２（波形データを作成）
データ処理部６は、この生体磁気データに基づいて、横軸を時間、縦軸を磁界強度する波形データを磁気センサＳ1 〜Ｓm のＸ、Ｙ、Ｚ成分ごとに作成する。この波形データを磁気センサＳ1 〜Ｓm のＸ、Ｙ、Ｚ成分ごとに分けて、第１メモリ７ａに記憶する。この第１メモリ７ａに記憶される波形データの模式図を図４に示す。
【００２６】
ステップＳ３（磁界強度分布を作成）
データ処理部６は、第１メモリ７ａに記憶されているＸ、Ｙ、Ｚ成分ごとの波形データに基づいて、時刻毎に磁界強度分布を求める。時刻毎の磁界強度分布を求める場合を図５を用いて説明する。ここで、時刻毎とは、計測時間ｔn を予め決められた間隔で分割した各時刻をいう。この実施例では、計測時間ｔ0 、ｔ1 、ｔ2 、〜ｔn に分割するものとする。この発明の磁界強度分布作成手段で行われる処理に相当する。
【００２７】
被検体の関心部位である頭部表面の法線方向の磁界成分であるＺ成分について説明する。マルチチャンネルＳＱＵＩＤセンサ１の磁気センサＳ1 〜Ｓm が配置されている面に対応するＺ円領域５０を設定する。このＺ円領域５０内に磁気センサＳ1 〜Ｓm に対応する位置に、磁気センサと同数のｍ個の指標点Ｄ1 〜Ｄm が配置される。
【００２８】
次に、時刻毎に磁気センサＳ1 〜Ｓm で得られる磁界強度を、磁気センサＳ1 〜Ｓm のＺ成分の各波形データに基づいて求める。この各磁界強度を対応する指標点Ｄ1 〜Ｄm に振り分ける。この指標点Ｄ1 〜Ｄm での磁界強度に基づいてスプライン補間等を用いてＺ円領域５０内の等磁界強度となる点を結び等圧線５１を求めることで等磁場図が得られる。この等磁場図は、ある時刻ｔi におけるＺ成分の磁界強度分布を示す。
【００２９】
なお、図５に示す指標点Ｄmax は、磁界強度が最も大きい位置を示すものとする。また、指標点Ｄmin は、磁界強度が最も小さい位置を示す。等圧線５１を実線と鎖線で示している。これは、Ｚ成分には向きが逆の成分も存在するので、Ｚ成分の大きさがプラスとなる方向を実線、大きさがマイナスとなる方向を破線で表現したものである。実際にカラーモニタ８やカラープリンタ９に出力する場合は、赤色、青色、中間色等で等圧線ごとに色分して出力することとなる。
【００３０】
上述した磁界強度分布をＸ、Ｙ、成分の時刻ｔ0 〜ｔn について作成する。これらＸ、Ｙ、Ｚ成分の時刻ｔ0 〜ｔn の磁界強度分布を第２メモリ７ｂに記憶する。この第２メモリ７ｂの模式図を図６に示す。
【００３１】
ステップＳ４（設定直線上のデータを収集）
以下の説明は、被検体Ｍの関心部位内に１つの生体活動電流源が存在している場合を考える。すなわち、Ｚ成分の生体磁気データには、逆方向の大きさの磁界が存在するが、Ｘ、Ｙ成分の生体磁気データには、一定方向の大きさの磁界しか存在しないので、逆方向を示す最小の磁界強度が現れない。したがって、Ｚ成分の生体磁気データについて説明する。
【００３２】
ステップＳ３で求めたＺ成分の時刻ｔ1 〜ｔn の磁界強度分布において、磁界強度が最大、最小となる点を通る直線を時刻ｔ1 〜ｔn ごとに設定する。この直線上の磁界強度分布データを収集し、第３メモリ７ｃに時系列に記憶する。ステップＳ３は、この発明の分布データ収集手段で行われる処理に相当する。
【００３３】
ステップＳ４で行われる処理を、図７を用いて説明する。ある時刻ｔi における磁界強度分布７０上の最大点Ｐ１、最小点Ｐ２を通る直線Ｈを設定する。この直線Ｈ上の磁界強度分布のデータを、磁界強度の変化として捉えると、磁界強度分布データ７１のように表すことができる。この磁界強度分布データ７１は、ある時刻ｔi における最も特徴のある磁界強度分布の位置の磁界強度の変化を示す。この磁界強度分布データ７１を第３メモリ７ｃに記憶する。この手順を時刻ｔ1 〜ｔn の磁界強度分布について行う。
【００３４】
ステップＳ５（等圧線を設定）
第３メモリ７ｃに記憶されている磁界強度分布データは、磁界強度を示す点の集まりであるので、ステップＳ３の等圧線の設定と同様に、同じ磁界強度を示す点を結ぶことで、図８に示すように等圧線８１を設定する。このようにして求められる図を時刻等磁場図と呼ぶ。この時刻等磁場図は、時刻毎の最も変化の大きな変化のある磁界強度データだけを示すことで、計測時間ｔn 内の生体活動電流源の顕著な変化を把握することができる。ここでは、図８に示すように等圧線で示したが、実際にカラーモニタ８やカラープリンタ９に出力する場合は、赤色、青色、中間色等の色分けして出力される。ステップＳ５は、この発明の時刻等磁場図作成手段で行われる処理に相当する。
【００３５】
ステップＳ６（分布直線模擬図を設定）
ステップＳ４において、設定された直線と磁界強度分布の位置関係を容易に観察できるように、図８に示す分布直線模擬図８２を設定する。この分布直線模擬図８２は、小円領域８３と矢印８４とで構成される。この矢印８４の向きは、ステップＳ４で求められた磁界強度の最小点から最大点に向かうように設定されている。この分布直線模擬図８２は、時刻ｔ1 〜ｔn について全て設定する必要がないので、任意の間隔で設定する。ステップＳ６は、この発明の模擬図出力手段で行われる処理に相当する。
【００３６】
ステップＳ７（全データを表示）
データ処理部６は、第１メモリ７ａ、第２メモリ７ｂ、第３メモリ７ｃの記憶情報をそれぞれ呼び出し、出力領域に配置する。この出力領域に基づいてカラーモニタ８に表示したり、カラープリンタ９に出力したりする。このカラーモニタ８の表示画面を図９に示す。ステップＳ７は、この発明の画像出力手段で行われる処理に相当する。この実施例では、ステップＳ４以降は被検体Ｍの関心部位内に１つの生体活動電流源が存在する場合を考えたが、この発明はこれに限定するものではない。例えば、被検体Ｍの関心部位内に２以上の生体活動電流源が存在する場合は、ステップＳ４以降の処理をＸ成分、Ｙ成分について行えばよい。
【００３７】
以下、図９を用いて、生体活動電流源を把握する場合を説明する。
この実施例の生体磁気データ表示装置の表示画面９０は、大きく分けて３つの分割画面で構成されている。
【００３８】
第１の分割画面である全波形画面９１には、従来例と同様にして、円領域の前記各磁気センサに対応する位置に、Ｘ、Ｙ、Ｚ成分ごとの３つの波形が表示されている。
【００３９】
第２の分割画面である等磁場画面９２には、ステップＳ１〜Ｓ７で求められた時刻等磁場図が９２ａと、分布直線模擬図９２ｂとが表示されている。また、等磁場画面９２に設けられた直線Ｔは、図示しないマウス等を使って左右に移動させることで時刻等磁場図９２ａ上の任意の時刻を設定することができる。この任意の時刻に基づいて、下述する磁界強度分布画面９３が表示される。
【００４０】
第３の分割画面である磁界強度分布画面９３は、従来例と同様に、小円形領域から構成されている。この小円形領域は、先の直線Ｔで指定された時刻における各生体磁気データのＸ、Ｙ、Ｚ成分の磁界強度を分布として表示する。
【００４１】
まず、等磁場画面９２を観察して磁界強度に特徴的な変化のある場所、例えば、等圧線９３の過密している場所を探す。この場所に直線Ｔを図示しないマウス等を使って移動させる。磁界強度分布画面９３には、この直線Ｔのある位置に対応する等磁場図９２ａ上の時間に基づいた磁界強度分布が表示される。この磁界強度分布や波形表示を観察することで、被検体の関心部位に発生する生体活動電流源の状態を把握することができる。
【００４２】
上述したように、表示画面５０に表示される等磁場画面９２を観察するだけで生体活動電流源の特徴的な変化を容易に見つけることができ、この位置を指定するだけで、この時の磁界強度分布から生体活動電流源の状態を即座に把握することができる。また、分布直線模擬図から磁界強度分布上の生体活動電流源の位置と方向の把握することができる。さらに、この生体磁気データに基づいて、生体活動電流源の位置を推定する必要がある場合、この特徴的な変化のあった時刻に基づいて、生体活動電流源を推定することで、生体活動電流源の位置をより正確に推定することができる。
【００４３】
この発明は以下のように変形実施することが可能である。                （１）上述した実施例では、分布データ収集手段としてＺ成分の磁界強度分布内の最大磁界強度を示す位置と、最小磁界強度を示す位置とを通る直線を設定した。これに限らず、次のようにすることもできる。被検体の関心部位である頭部表面の接線方向の成分であるＸ成分、またはＹ成分の磁界強度分布内の最大磁界強度のみを通る直線を設定することもできる。この最大磁界強度のみを通る直線によって求められる時刻等磁場図１００を、図１０に示す。また、この時の分布直線模擬図は、磁界強度分布の中心と最大磁界強度を示す位置を通る直線を設定したものである。この分布直線模擬図１０１も図１０に併せて示す。。
【００４４】
【発明の効果】
以上の説明から明らかなように、請求項１の発明によれば、被検体の関心部位に発生する生体活動電流源からの生体磁気を計測して得た生体磁気データに基づく波形と磁束計で捉える磁界強度分布を求める。この磁界強度分布上に任意の直線を設定し、この直線上の磁界強度分布データに基づく時刻等磁場図を求める。この時刻等磁場図を観察することで、生体活動電流源が特徴的な状態なる計測時刻を容易に知ることができる。さらに、この計測時刻の磁界強度分布を観察することで、生体活動電流源の状態を効率良く把握することができる。
【００４５】
また、請求項２の発明によれば、磁界強度分布と磁界強度上に設定された直線との位置関係を、前記磁界強度分布を表す領域上に直線の向きを示す記号を重ねることで模擬的に表しているので、磁界強度分布上の設定された直線の位置と向きを容易に把握することができる。
【００４６】
また、請求項３の発明によれば、磁界強度分布内の最大磁界強度を示す点と、最小磁界強度を示す点とを通る直線を設定し、この直線上の磁界強度分布のデータに基づく時刻等磁場図を求めている。この時刻等磁場図を観察することで、生体活動電流源が特徴的な状態なる計測時刻を容易に知ることができる。さらに、この計測時刻の磁界強度分布を観察することで、生体活動電流源の状態を効率良く把握することができる。
【００４７】
また、請求項４の発明によれば、磁界強度分布内の最大磁界強度を示す点のみを通る直線を設定し、この直線上の磁界強度分布のデータに基づく時刻等磁場図を求めている。この時刻等磁場図を観察することで、生体活動電流源の位置での磁界強度の変化が特徴的な状態なる計測時刻を容易に知ることができる。さらに、この計測時刻の磁界強度分布を観察することで、生体活動電流源の状態を効率良く把握することができる。
【図面の簡単な説明】
【図１】この発明に係る生体磁気データ表示装置の一実施例の概略構成を示したブロック図である。
【図２】実施例で行なわれる処理手順を示すフローチャートである。
【図３】実施例の生体磁気データ表示装置に使用される３方向ピックアップコイルの概略構成を示す概略図である。
【図４】実施例の第１メモリ７ａに記憶される波形データを示す模式図である。
【図５】実施例で行なわれる磁界強度分布を示す模式図である。
【図６】実施例の第２メモリ７ｂに記憶される磁界強度分布を示す模式図である。
【図７】実施例の第３メモリ７ｃに記憶される磁界強度分布上の直線上の磁界強度分布のデータを示す図である。
【図８】実施例の時刻等磁場図を示す模式図である。
【図９】実施例の生体磁気データ表示装置での表示画面を示す模式図である。
【図１０】実施例の変形例の時刻等磁場図を示す模式図である。
【図１１】従来例の生体磁気データ表示装置での表示画面を示す模式図である。
【符号の説明】
１  …  マルチチャンネルＳＱＵＩＤセンサ
１ａ…  デュアー
４  …  データ変換部
５  …  データ収集部
６  …  データ処理部
７  …  メモリ
９２ａ…  時刻等磁場図
９２ｂ…  分布直線模擬図
【図１】
0003791124.tif 000002
【図２】
0003791124.tif 000003
【図３】
0003791124.tif 000004
【図４】
0003791124.tif 000005
【図５】
0003791124.tif 000006
【図６】
0003791124.tif 000007
【図７】
0003791124.tif 000008
【図８】
0003791124.tif 000009
【図９】
0003791124.tif 000010
【図１０】
0003791124.tif 000011
【図１１】
0003791124.tif 000012